(57)【特許請求の範囲】
【請求項１】
第２のユーザ機器（ＵＥ）（ＵＥ２）への直接通信に対して第１のＵＥ（ＵＥ１）の送信構成を適合させるための第１のネットワークノード（ｅＮＢ１）による方法であって、
前記第１のＵＥ（ＵＥ１）と前記第１のネットワークノード（ｅＮＢ１）との間の第１のタイミング測定を取得すること（１０００）と、
前記第２のＵＥ（ＵＥ２）と第２のネットワークノード（ｅＮＢ２）との間の第２のタイミング測定を取得すること（１００２）と、
前記第１のタイミング測定と、前記第２のタイミング測定と、前記第１のＵＥ（ＵＥ１）および前記第２のＵＥ（ＵＥ２）にサーブする無線ネットワークの隣接関連付けを規定する情報とに基づいて、前記第１のＵＥ（ＵＥ１）から前記第２のＵＥ（ＵＥ２）への直接のワイヤレス通信の送信電力レベルを含む送信構成を適合させること（１００４）と
を備え、
前記第１のＵＥ（ＵＥ１）が前記第２のＵＥ（ＵＥ２）に送信する前記送信電力レベルを制御するために、前記送信構成を使用して前記第２のＵＥ（ＵＥ２）とのデバイスツーデバイス直接通信を実行するよう前記第１のＵＥ（ＵＥ１）に指示する情報を包含するメッセージを送信すること（１１００）をさらに備える、方法。
【請求項２】
前記送信構成を備えるメッセージを別のネットワークノードに送信すること（１１００）をさらに備える、請求項１に記載の方法。
【請求項３】
前記第１のタイミング測定を取得すること（１０００）は、
タイミングアドバンス値、前記第１のＵＥ（ＵＥ１）から前記第１のネットワークノード（ｅＮＢ１）への送信伝搬時間、前記第１のネットワークノード（ｅＮＢ１）から前記第１のＵＥ（ＵＥ１）への送信伝搬遅延、ラウンドトリップ送信伝搬遅延、および到達時間測定
のうちの少なくとも１つを取得することを備える、請求項１または２に記載の方法。
【請求項４】
前記第１のＵＥ（ＵＥ１）から前記第２のＵＥ（ＵＥ２）へのワイヤレス通信の前記送信構成を適合させること（１００４）は、
前記送信構成に基づいて、前記第２のＵＥ（ＵＥ２）に送信するときの前記第１のＵＥ（ＵＥ１）の送信電力レベルを構成すること（１２００）
を備える、請求項１から３のいずれか一項に記載の方法。
【請求項５】
前記第１のＵＥ（ＵＥ１）から前記第２のＵＥ（ＵＥ２）へのワイヤレス通信の前記送信構成を適合させること（１００４）は、
前記送信構成に基づいて、前記第２のＵＥ（ＵＥ２）に送信するときの前記第１のＵＥ（ＵＥ１）による使用のための時間リソースおよび周波数リソースのうちの１つまたは両方を選択すること（１３００）
を備える、請求項１から４のいずれか一項に記載の方法。
【請求項６】
前記第２のネットワークノード（ｅＮＢ２）と関連付けられた識別子を取得すること（１４００）と、
前記第２のネットワークノード（ｅＮＢ２）と関連付けられた前記識別子および前記第１のネットワークノード（ｅＮＢ１）と関連付けられた識別子の比較に基づいて、前記第１のＵＥ（ＵＥ１）から前記第２のＵＥ（ＵＥ２）への直接の前記ワイヤレス通信の前記送信構成を適合させること（１４０２）と
をさらに備え、
前記第１および第２のネットワークノードと関連付けられた前記識別子は、それぞれの前記ネットワークノードの識別子、それぞれの前記ネットワークノードと関連付けられたセルの識別子、またはそれぞれの前記ネットワークノードと関連付けられたセル部分の識別子、のうちのいずれかである、
請求項１から５のいずれか一項に記載の方法。
【請求項７】
前記第１のＵＥ（ＵＥ１）に対する第１のサービングセルと関連付けられた識別子を取得すること（１５００）と、
前記第２のＵＥ（ＵＥ２）に対する第２のサービングセルと関連付けられた識別子を取得すること（１５０２）と、
前記第１のＵＥ（ＵＥ１）に対する前記第１のサービングセルと関連付けられた前記識別子および前記第２のＵＥ（ＵＥ２）に対する前記第２のサービングセルと関連付けられた前記識別子の比較に基づいて、前記第１のＵＥ（ＵＥ１）から前記第２のＵＥ（ＵＥ２）への直接の前記ワイヤレス通信の前記送信構成を適合させること（１５０４）と
をさらに備え、
前記第１および第２のネットワークノード（ｅＮＢ１、ｅＮＢ２）と関連付けられた前記識別子は、それぞれの前記ネットワークノードの識別子、それぞれの前記ネットワークノードと関連付けられたセルの識別子、またはそれぞれの前記ネットワークノードと関連付けられたセル部分の識別子、のうちのいずれかである、
請求項１から６のいずれか一項に記載の方法。
【請求項８】
前記第１および第２のネットワークノードと関連付けられた前記識別子は、それぞれの前記ネットワークノードと関連付けられたセルの識別子またはそれぞれの前記ネットワークノードと関連付けられたセル部分の識別子である、請求項７に記載の方法。
【請求項９】
前記第１のＵＥ（ＵＥ１）が位置する第１の地理的エリアを識別する情報を取得すること（１６００）と、
前記第２のＵＥ（ＵＥ２）が位置する第２の地理的エリアを識別する情報を取得すること（１６０２）と、
前記第１および第２の地理的エリアを識別する情報の比較に基づいて、前記第１のＵＥ（ＵＥ１）から前記第２のＵＥ（ＵＥ２）への直接の前記ワイヤレス通信の前記送信構成を適合させること（１６０４）と
をさらに備える、請求項１から８のいずれか一項に記載の方法。
【請求項１０】
前記第１のＵＥ（ＵＥ１）と、前記第１のネットワークノード（ｅＮＢ１）および／または前記第２のＵＥ（ＵＥ２）のうちの少なくとも１つとの間の第１の指向性測定を取得すること（１７００）と、
前記第２のＵＥ（ＵＥ２）と、前記第２のネットワークノード（ｅＮＢ２）および／または前記第１のＵＥ（ＵＥ１）のうちの少なくとも１つとの間の第２の指向性測定を取得すること（１７０２）と、
前記第１および第２の指向性測定の比較に基づいて、前記第１のＵＥ（ＵＥ１）から前記第２のＵＥ（ＵＥ２）への直接の前記ワイヤレス通信の前記送信構成を適合させること（１７０４）と
をさらに備える、請求項１から９のいずれか一項に記載の方法。
【請求項１１】
前記第１のネットワークノード（ｅＮＢ１）に対するセルレンジを取得すること（１８００）と、
前記第２のネットワークノード（ｅＮＢ２）に対するセルレンジを取得すること（１８０２）と、
前記第１および第２のネットワークノード（ｅＮＢ１、ｅＮＢ２）の前記セルレンジに基づいて、前記第１のＵＥ（ＵＥ１）から前記第２のＵＥ（ＵＥ２）への直接の前記ワイヤレス通信の前記送信構成を適合させること（１８０４）と
をさらに備える、請求項１から１０のいずれか一項に記載の方法。
【請求項１２】
第２のユーザ機器（ＵＥ）（ＵＥ２）への直接通信に対して送信構成を適合させるための第１のＵＥ（ＵＥ１）による方法であって、
前記第１のＵＥ（ＵＥ１）と第１のネットワークノード（ｅＮＢ１）との間の第１のタイミング測定を取得すること（１９００）と、
前記第２のＵＥ（ＵＥ２）と第２のネットワークノード（ｅＮＢ２）との間の第２のタイミング測定を取得すること（１９０２）と、
前記第１のタイミング測定と、前記第２のタイミング測定と、前記第１のＵＥ（ＵＥ１）および前記第２のＵＥ（ＵＥ２）にサーブする無線ネットワークの隣接関連付けを規定する情報とに基づいて、前記第１のＵＥ（ＵＥ１）から前記第２のＵＥ（ＵＥ２）への直接のワイヤレス通信の送信電力レベルを含む送信構成を適合させること（１９０４）と
を備え、
メッセージを前記第１のネットワークノード（ｅＮＢ１）から受信すること（２０００）をさらに備え、前記メッセージは、前記第１のＵＥ（ＵＥ１）が前記第２のＵＥ（ＵＥ２）に送信する前記送信電力レベルを制御するために、前記送信構成を使用して前記第２のＵＥ（ＵＥ２）とのデバイスツーデバイス直接通信を実行するよう前記第１のＵＥ（ＵＥ１）に指示する情報を包含する、
方法。
【請求項１３】
前記第１のタイミング測定を取得すること（１９００）は、
タイミングアドバンス値、前記第１のＵＥ（ＵＥ１）から前記第１のネットワークノード（ｅＮＢ１）への送信伝搬遅延、前記第１のネットワークノード（ｅＮＢ１）から前記第１のＵＥ（ＵＥ１）への送信伝搬時間、ラウンドトリップ送信伝搬遅延、および到達時間測定
のうちの少なくとも１つを取得することを備える、請求項１２に記載の方法。
【請求項１４】
前記第１のＵＥ（ＵＥ１）から前記第２のＵＥ（ＵＥ２）へのワイヤレス通信の前記送信構成を適合させること（１９０４）は、
前記送信構成に基づいて、前記第２のＵＥ（ＵＥ２）に送信するときの前記第１のＵＥ（ＵＥ１）の送信電力レベルを制約すること（２１００）
を備える、請求項１２または１３に記載の方法。
【請求項１５】
前記第１のＵＥ（ＵＥ１）から前記第２のＵＥ（ＵＥ２）へのワイヤレス通信の前記送信構成を適合させること（１９０４）は、
前記送信構成に基づいて、前記第２のＵＥ（ＵＥ２）に送信するときの前記第１のＵＥ（ＵＥ１）による使用のための時間リソースおよび周波数リソースのうちの１つまたは両方を選択すること（２２００）
を備える、請求項１２から１４のいずれか一項に記載の方法。
【請求項１６】
前記第１のＵＥ（ＵＥ１）から前記第２のＵＥ（ＵＥ２）へのワイヤレス通信の前記送信構成を適合させること（１９０４）は、
前記送信構成に基づいて、前記第２のＵＥ（ＵＥ２）に送信するための使用のためのアンテナタイプ、前記第２のＵＥ（ＵＥ２）へのマルチアンテナ送信に対して利用可能なアンテナの中で複数のアンテナ、前記第２のＵＥ（ＵＥ２）への送信に対するアンテナ放射パターン、および／または前記第２のＵＥ（ＵＥ２）への送信に対するアンテナ方向を選択すること（２３００）
を備える、請求項１２から１５のいずれか一項に記載の方法。
【請求項１７】
前記第１のタイミング測定を取得すること（１９００）は、前記第１のネットワークノード（ｅＮＢ１）から前記第１のＵＥ（ＵＥ１）に対するタイミングアドバンス値を受信すること（２４００）を備え、
前記第２のタイミング測定を取得すること（１９０２）は、デバイスツーデバイスリンクを介して前記第２のＵＥ（ＵＥ２）から直接、前記第２のＵＥ（ＵＥ２）に対するタイミングアドバンス値を受信すること（２４０２）を備える、
請求項１２から１６のいずれか一項に記載の方法。
【請求項１８】
前記第１のネットワークノード（ｅＮＢ１）と関連付けられた識別子を取得すること（２５００）と、
前記第２のネットワークノード（ｅＮＢ２）と関連付けられた識別子を取得すること（２５０２）と、
前記第１および第２のネットワークノード（ｅＮＢ１、ｅＮＢ２）と関連付けられた前記識別子の比較に基づいて、前記第１のＵＥ（ＵＥ１）から前記第２のＵＥ（ＵＥ２）への直接の前記ワイヤレス通信の前記送信構成を適合させること（２５０４）と
をさらに備え、
前記第１および第２のネットワークノード（ｅＮＢ１、ｅＮＢ２）と関連付けられた前記識別子は、それぞれの前記ネットワークノードの識別子、それぞれの前記ネットワークノードと関連付けられたセルの識別子、またはそれぞれの前記ネットワークノードと関連付けられたセル部分の識別子、のうちのいずれかである、
請求項１２から１７のいずれか一項に記載の方法。
【請求項１９】
前記第１のＵＥ（ＵＥ１）に対する第１のサービングセルと関連付けられた識別子を取得すること（１５００）と、
前記第２のＵＥ（ＵＥ２）に対する第２のサービングセルと関連付けられた識別子を取得すること（１５０２）と、
前記第１のＵＥ（ＵＥ１）に対する前記第１のサービングセルと関連付けられた前記識別子および前記第２のＵＥ（ＵＥ２）に対する前記第２のサービングセルと関連付けられた前記識別子の比較に基づいて、前記第１のＵＥ（ＵＥ１）から前記第２のＵＥ（ＵＥ２）への直接の前記ワイヤレス通信の前記送信構成を適合させること（１５０４）と
をさらに備え、
前記第１および第２のネットワークノード（ｅＮＢ１、ｅＮＢ２）と関連付けられた前記識別子は、それぞれの前記ネットワークノードの識別子、それぞれの前記ネットワークノードと関連付けられたセルの識別子、またはそれぞれの前記ネットワークノードと関連付けられたセル部分の識別子、のうちのいずれかである、
請求項１２から１８のいずれか一項に記載の方法。
【請求項２０】
前記第１および第２のネットワークノードと関連付けられた前記識別子は、それぞれの前記ネットワークノードと関連付けられたセルの識別子またはそれぞれの前記ネットワークノードと関連付けられたセル部分の識別子である、請求項１９に記載の方法。
【請求項２１】
前記第１のＵＥ（ＵＥ１）が位置する第１の地理的エリアを識別する情報を取得すること（１６００）と、
前記第２のＵＥ（ＵＥ２）が位置する第２の地理的エリアを識別する情報を取得すること（１６０２）と、
前記第１および第２の地理的エリアを識別する情報の比較に基づいて、前記第１のＵＥ（ＵＥ１）から前記第２のＵＥ（ＵＥ２）への直接の前記ワイヤレス通信の前記送信構成を適合させること（１６０４）と
をさらに備える、請求項１２から２０のいずれか一項に記載の方法。
【請求項２２】
前記第１のＵＥ（ＵＥ１）と、前記第１のネットワークノード（ｅＮＢ１）および／または前記第２のＵＥ（ＵＥ２）のうちの少なくとも１つとの間の第１の指向性測定を取得すること（１７００）と、
前記第２のＵＥ（ＵＥ２）と、前記第２のネットワークノード（ｅＮＢ２）および／または前記第１のＵＥ（ＵＥ１）のうちの少なくとも１つとの間の第２の指向性測定を取得すること（１７０２）と、
前記第１および第２の指向性測定の比較に基づいて、前記第１のＵＥ（ＵＥ１）から前記第２のＵＥ（ＵＥ２）への直接の前記ワイヤレス通信の前記送信構成を適合させること（１７０４）と
をさらに備える、請求項１２から２１のいずれか一項に記載の方法。
【請求項２３】
前記第１のネットワークノード（ｅＮＢ１）に対するセルレンジを取得すること（１８００）と、
前記第２のネットワークノード（ｅＮＢ２）に対するセルレンジを取得すること（１８０２）と、
前記第１および第２のネットワークノード（ｅＮＢ１、ｅＮＢ２）の前記セルレンジに基づいて、前記第１のＵＥ（ＵＥ１）から前記第２のＵＥ（ＵＥ２）への直接の前記ワイヤレス通信の前記送信構成を適合させること（１８０４）と
をさらに備える、請求項１２から２２のいずれか一項に記載の方法。
【請求項２４】
前記第２のＵＥ（ＵＥ２）から、前記第１のＵＥ（ＵＥ１）によって送信された信号を特徴付ける情報を包含するフィードバックメッセージを受信すること（２６００）と、
前記フィードバックメッセージに基づいて、前記第１のＵＥ（ＵＥ１）から前記第２のＵＥ（ＵＥ２）への直接の前記ワイヤレス通信の前記送信構成を適合させること（２６０２）と
をさらに備える、請求項１２から２２のいずれか一項に記載の方法。
【請求項２５】
最後に前記送信構成が適合されてからの規定された時間間隔の満了、前記第１のネットワークノード（ｅＮＢ１）から別のネットワークノードへの前記第１のＵＥ（ＵＥ１）のハンドオーバ、および前記第１のＵＥ（ＵＥ１）に対する主要なセル変更、のうちの少なくとも１つに応答して、少なくとも前記送信構成を適合させることを繰り返すこと（２７００）
をさらに備える、請求項１２から２３のいずれか一項に記載の方法。
【請求項２６】
１）閾値を超える変更が前記第１のタイミング測定および前記第２のタイミング測定のうちの少なくとも１つにおいて発生したこと、ならびに、２）閾値を超える変更が前記第１のタイミング測定と前記第２のタイミング測定との間の差において発生したこと、のうちの少なくとも１つに応答して、少なくとも前記送信構成を適合させることを繰り返すこと（２８００）
をさらに備える、請求項１２から２５のいずれか一項に記載の方法。
【請求項２７】
第２のユーザ機器（ＵＥ）（ＵＥ２）への直接通信に対して第１のＵＥ（ＵＥ１）の送信構成を適合させるための第１のネットワークノード（ｅＮＢ１）であって、
プロセッサと、
前記プロセッサに結合され、およびコンピュータ可読プログラムコードを備えるメモリと
を備え、
前記コンピュータ可読プログラムコードは、前記プロセッサによって実行されると、前記プロセッサに、
前記第１のＵＥ（ＵＥ１）と前記第１のネットワークノード（ｅＮＢ１）との間の第１のタイミング測定を取得すること（１０００）と、
前記第２のＵＥ（ＵＥ２）と第２のネットワークノード（ｅＮＢ２）との間の第２のタイミング測定を取得すること（１００２）と、
前記第１のタイミング測定と、前記第２のタイミング測定と、前記第１のＵＥ（ＵＥ１）および前記第２のＵＥ（ＵＥ２）にサーブする無線ネットワークの隣接関連付けを規定する情報とに基づいて、前記第１のＵＥ（ＵＥ１）から前記第２のＵＥ（ＵＥ２）への直接のワイヤレス通信の送信電力レベルを含む送信構成を適合させること（１００４）と、
前記第１のＵＥ（ＵＥ１）が前記第２のＵＥ（ＵＥ２）に送信する前記送信電力レベルを制御するために、前記送信構成を使用して前記第２のＵＥ（ＵＥ２）とのデバイスツーデバイス直接通信を実行するよう前記第１のＵＥ（ＵＥ１）に指示する情報を包含するメッセージを送信すること（１１００）と
を備える動作を実行させる、第１のネットワークノード（ｅＮＢ１）。
【請求項２８】
前記第１のタイミング測定を取得すること（１０００）は、タイミングアドバンス値、前記第１のＵＥ（ＵＥ１）から前記第１のネットワークノード（ｅＮＢ１）への送信伝搬遅延、前記第１のネットワークノード（ｅＮＢ１）から前記第１のＵＥ（ＵＥ１）への送信伝搬遅延、ラウンドトリップ送信伝搬遅延、および到達時間測定
のうちの少なくとも１つを取得することを備える、請求項２７に記載の第１のネットワークノード（ｅＮＢ１）。
【請求項２９】
第２のユーザ機器（ＵＥ）（ＵＥ２）への直接通信に対して送信構成を適合させるための第１のＵＥ（ＵＥ１）であって、
プロセッサと、
前記プロセッサに結合され、およびコンピュータ可読プログラムコードを備えるメモリと
を備え、
前記コンピュータ可読プログラムコードは、前記プロセッサによって実行されると、前記プロセッサに、
前記第１のＵＥ（ＵＥ１）と第１のネットワークノード（ｅＮＢ１）との間の第１のタイミング測定を取得すること（１９００）と、
前記第２のＵＥ（ＵＥ２）と第２のネットワークノード（ｅＮＢ２）との間の第２のタイミング測定を取得すること（１９０２）と、
前記第１のタイミング測定と、前記第２のタイミング測定と、前記第１のＵＥ（ＵＥ１）および前記第２のＵＥ（ＵＥ２）にサーブする無線ネットワークの隣接関連付けを規定する情報とに基づいて、前記第１のＵＥ（ＵＥ１）から前記第２のＵＥ（ＵＥ２）への直接のワイヤレス通信の送信電力レベルを含む送信構成を適合させること（１９０４）と、
前記第１のＵＥ（ＵＥ１）が前記第２のＵＥ（ＵＥ２）に送信する前記送信電力レベルを制御するために、前記送信構成を使用して前記第２のＵＥ（ＵＥ２）とのデバイスツーデバイス直接通信を実行するよう前記第１のＵＥ（ＵＥ１）に指示する情報を包含するメッセージを前記第１のネットワークノード（ｅＮＢ１）から受信すること（２０００）と
を備える動作を実行させる、第１のＵＥ（ＵＥ１）。
【請求項３０】
前記第１のタイミング測定を取得すること（１９００）は、
タイミングアドバンス値、前記第１のＵＥ（ＵＥ１）から前記第１のネットワークノード（ｅＮＢ１）への送信伝搬遅延、前記第１のネットワークノード（ｅＮＢ１）から前記第１のＵＥ（ＵＥ１）への送信伝搬遅延、ラウンドトリップ送信伝搬遅延、および到達時間測定
のうちの少なくとも１つを取得することを備える、請求項２９に記載の第１のＵＥ（ＵＥ１）。
【発明の詳細な説明】
【技術分野】
【０００１】
関連出願の相互参照
本出願は、２０１４年２月１０日に出願された米国特許仮出願第６１／９３７，８６６号の優先権を主張し、その開示および内容は、本明細書で完全に示されるかのようにその全体が参照によって本明細書に組み込まれる。
【０００２】
本発明は、ワイヤレス通信システムに関し、より詳細にはデバイスツーデバイス通信に関する。
【背景技術】
【０００３】
ワイヤレス通信デバイス、例えば、ユーザ機器デバイス（ＵＥ）は、相互に近接して位置する場合、例えば、図１に示されるように、いずれかのｅＮｏｄｅＢ、シグナリングゲートウェイ（ＳＧＷ）／パケットデータネットワークゲートウェイ（ＰＧＷ）、または他のネットワークノードを通じた通信のルーティングをすることなしに、無線通信デバイス間での直接のリンクを通じてデータ通信に「直接モード」パスを使用することが可能であり得る。あるいは、近接して位置する通信デバイスは、例えば、図２に示されるように、共有ｅＮｏｄｅＢまたは他のネットワークノードを通じて通信を「ローカルでルーティング」させることができる。デバイスの間の従来のセルラ通信では、デバイス通信は、例えば、図３に示されるように、１つまたは複数のｅＮｏｄｅＢおよびＳＧＷ／ＰＧＷを通じてルーティングされる。
【０００４】
デバイスツーデバイス（Ｄ２Ｄ）通信では、ソースおよびターゲットデバイスは、別のＵＥまたはネットワークノードを通じて中継することなく、ワイヤレスリンクを通じて相互間で直接通信するワイヤレスデバイスであり、例えばＵＥである。Ｄ２Ｄ通信の潜在的な利点のいくつかは、普通ならセルラネットワークを通るはずのトラフィックをオフロードすること、より高速な通信、低レイテンシの通信、例えば同一のアプリケーションを実行している周囲の対象のワイヤレスデバイスの認識が高まること、Ｄ２Ｄデバイスの間の直接の短い距離に起因したより高品質のリンクなどである。Ｄ２Ｄ通信のいくつかの魅力的なアプリケーションは、ビデオストリーミング、オンラインゲーム、メディアダウンロード、ピアツーピア（Ｐ２Ｐ）、ファイル共有などである。
【０００５】
Ｄ２Ｄ動作に対するさらなる詳細な例の参照システムアーキテクチャが図４に示される。システムは、２つのＵＥ、Ｄ２Ｄ通信機能性を提供するためにＵＥによって実行される近接サービス（ＰｒｏＳｅ）アプリケーション、セルラ通信サービスをＵＥに提供するエボルブドユニバーサル地上無線アクセスネットワーク（Ｅ−ＵＴＲＡＮ）ノード、エボルブドパケットコア（ＥＰＣ）ノード、ＵＥの間のＤ２Ｄ通信をセットアップおよび制御するためにネットワークノードによって実行されるＰｒｏＳｅ機能、ならびにＰｒｏＳｅアプリケーションサーバを含む。
【０００６】
現在では、いくつかのＤ２Ｄ通信では、通信デバイスは、常に最大電力で送信する。そのような最大電力送信は、他の通信デバイスおよびネットワークノードに強い干渉をもたらす。いくつかの他のＤ２Ｄ通信デバイスは、デバイス間の経路損失の測定に基づいて、それらの送信電力を反復的に適合させる。不都合にも、実際に、Ｄ２Ｄ通信に関与するデバイス間の経路損失に関する利用可能な情報は多くなく、そのような反復的なアプローチは送信電力を適合させるには遅いことがある。
【０００７】
ＬＴＥでは、アップリンク（ＵＬ）電力制御は、異なるＵＬ物理チャネルの送信電力を制御して、サービングＢＳ受信機において望ましい品質が達成されることを保証する。エボルブドユニバーサル地上無線アクセスネットワーク（Ｅ−ＵＴＲＡＮ）では、ＵＬ電力制御は、開ループコンポーネントおよび閉ループコンポーネントの両方を有する。開ループＵＬ電力制御は、ネットワークによりシグナリングされたパラメータおよび推定された経路損失またはパスゲインに基づいて、サブフレームごとにＵＥによって導出される。閉ループＵＬ電力制御は、ネットワークによってＵＥにサブフレーム（すなわち、送信が発生するアクティブなサブフレーム）ごとに送信される送信電力制御コマンドによって主に統制される。これは、開ループ推定および送信電力制御（ＴＰＣ）コマンドの両方に基づいて、ＵＥにその送信電力を制御させる。この電力制御アプローチは、物理アップリンク共有チャネル（ＰＵＳＣＨ）、物理アップリンク制御チャネル（ＰＵＣＣＨ）およびサウンディング参照信号（ＳＲＳ）に使用されることがある。ＲＡＣＨ送信に対するアップリンク送信された電力は、開ループコンポーネント、すなわち、経路損失およびネットワークによりシグナリングされたパラメータのみに基づいている。
【０００８】
概して、Ｅ−ＵＴＲＡＮにおけるＵＬ電力制御が
ＰＸ，ｃ（ｉ）＝ｍｉｎ｛ＰＣＭＡＸ，ｃ（ｉ），Ｆ（γ１，γ２，γ３，…）｝
として説明され得る。
【０００９】
上式でＰＸ，ｃ（ｉ）は、サブフレームｉにおけるサービングセルｃにおけるチャネル／信号Ｘ上のＵＥ  ＵＬ送信電力であり、ＰＣＭＡＸ，ｃ（ｉ）は、サービングセルｃに対してサブフレームｉにおいて規定された構成されたＵＥ送信電力であり、Ｆ（γ１，γ２，γ３，…）は、チャネル／信号Ｘ、例えば、ＰＵＳＣＨ、ＰＵＣＣＨ、ＳＲＳ、物理ランダムアクセスチャネル（ＰＲＡＣＨ）に特有の複数のパラメータ（経路損失を含む）の関数である。
【００１０】
既知のアプローチは通常経路損失ベースであり、Ｄ２Ｄ通信における使用に適合させるのは困難である。その理由は、ＵＥとｅＮｏｄｅＢとの間の経路損失が、特に、経路損失に影響する指向性アンテナおよび非均一アンテナゲインの共通使用を考慮して、２つのＵＥ間の直接の経路損失を推定するために使用することが困難であるためである。それらのアプローチは、例えば、周囲からの総干渉の測定や、受信された信号強度などに基づいて、送信電力制御のための反復的アプローチを利用するが、このアプローチは、Ｄ２Ｄ通信に適合される場合、過度に高い電力のＤ２Ｄ送信を制約するまでに不満足な長時間を要することがあり、その間に望ましくない干渉が他のネットワークノードおよび／またはＵＥに生じることがある。さらに、こうしたアプローチは、２つのＵＥが異なるセルに位置するときにＤ２Ｄを実行する送信機の電力制御をするように設計されない。また、こうしたアプローチは、ポイントツーポイント電力制御の方を対象とし得る。
【００１１】
この章で説明されるアプローチが追究され得るが、必ずしも前に着想または追究されたアプローチではない。したがって、別段本明細書で示されない限り、この章で説明されるアプローチは、本出願における特許請求の範囲に対する従来技術ではなく、この章に含むことによって従来技術であるとは認められない。
【発明の概要】
【００１２】
本開示のいくつかの実施形態は、第２のユーザ機器（ＵＥ）への直接通信に対して第１のＵＥの送信構成を適合させるための第１のネットワークノードによる方法を対象とする。方法は、第１のＵＥと第１のネットワークノードとの間の第１のタイミング測定を取得することと、第２のＵＥと第２のネットワークノードとの間の第２のタイミング測定を取得することと、を含む。方法はさらに、第１のタイミング測定および第２のタイミング測定に基づいて、第１のＵＥから第２のＵＥへの直接のワイヤレス通信の送信構成を適合させることを含む。
【００１３】
このアプローチの潜在的な利点は、ＵＥの間の経路損失の知識を必要とすることなく、タイミング測定に基づいて、第１のＵＥの送信構成を迅速に適合させることができることである。第１のＵＥの初期送信電力レベルは、最初に第２のＵＥに送信するときの送信機構成に基づいて制約されてもよく、この制約によって、第１のＵＥが、他のＵＥおよびネットワークノードに不必要に干渉する過度な送信電力レベルにおいて第２のＵＥに最初に送信することを回避することができる。
【００１４】
本開示のいくつかの他の実施形態は、第２のＵＥへの直接通信に対して送信構成を適合させるための第１のＵＥによる方法を対象とする。方法は、第１のＵＥと第１のネットワークノードとの間の第１のタイミング測定を取得することと、第２のＵＥと第２のネットワークノードとの間の第２のタイミング測定を取得することと、を含む。方法はさらに、第１のタイミング測定および第２のタイミング測定に基づいて、第１のＵＥから第２のＵＥへの直接のワイヤレス通信の送信構成を適合させることを含む。
【００１５】
いくつかの他の実施形態は、第２のＵＥへの直接通信に対して第１のＵＥの送信構成を適合させるための第１のネットワークノードを対象とする。第１のネットワークノードは、プロセッサおよびプロセッサに結合されたメモリを含む。メモリは、プロセッサによって実行されると、プロセッサに、第１のＵＥと第１のネットワークノードとの間の第１のタイミング測定を取得することと、第２のＵＥと第２のネットワークノードとの間の第２のタイミング測定を取得することと、を含む動作を実行させるコンピュータ可読プログラムコードを含む。動作はさらに、第１のタイミング測定および第２のタイミング測定に基づいて、第１のＵＥから第２のＵＥへの直接の無線通信の送信構成を適合させることを含む。
【００１６】
いくつかの他の実施形態は、第２のＵＥへの直接通信に対して送信構成を適合させるための第１のＵＥを対象とする。第１のＵＥは、プロセッサおよびプロセッサに結合されたメモリを含む。メモリは、プロセッサによって実行されると、プロセッサに、第１のＵＥと第１のネットワークノードとの間の第１のタイミング測定を取得することと、第２のＵＥと第２のネットワークノードとの間の第２のタイミング測定を取得することと、を含む動作を実行させるコンピュータ可読プログラムコードを含む。動作はさらに、第１のタイミング測定および第２のタイミング測定に基づいて、第１のＵＥから第２のＵＥへの直接のワイヤレス通信の送信構成を適合させることを含む。
【００１７】
本発明の実施形態に従った他の方法、ＵＥ、およびネットワークノードが、以下の図面および詳細な説明を検討するときに当業者に明らかであり、または明らかとなる。全てのそのような追加の方法、ＵＥ、およびネットワークノードが、この説明の中に含まれ、本発明の範囲に入り、かつ添付の特許請求の範囲によって保護されることが意図される。さらに、本明細書で開示される全ての実施形態は、別個で実装されてもよく、または任意の方法および／もしくは組合せで組み合わされてもよいことが意図される。
【００１８】
本開示の態様は例として示され、かつ添付図面によっては限定されない。
【図面の簡単な説明】
【００１９】
【図１】２つのユーザ機器（ＵＥ）の間の通信に対するエボルブドパケットシステム（ＥＰＳ）における「直接モード」データパスを示す。
【図２】ＵＥが同一のｅＮＢによってサーブされるときに２つのＵＥの間の通信に対するＥＰＳにおける「ローカルでルーティングされる」データパスを示す。
【図３】２つのＵＥの間のセルラ通信に対するＥＰＳにおけるデフォルトデータパスシナリオを示す。
【図４】Ｄ２Ｄ動作に対する参照エボルブドパケットシステムアーキテクチャを示す。
【図５】いくつかの実施形態に従った、ＵＥと１つまたは複数のｅＮＢとの間の通信シナリオを示す。
【図６】いくつかの実施形態に従った、ＵＥと１つまたは複数のｅＮＢとの間の通信シナリオを示す。
【図７】いくつかの実施形態に従った、ＵＥと１つまたは複数のｅＮＢとの間の通信シナリオを示す。
【図８】いくつかの実施形態に従った、ＵＥと１つまたは複数のｅＮＢとの間の通信シナリオを示す。
【図９】いくつかの実施形態に従った、ＵＥと１つまたは複数のｅＮＢとの間の通信シナリオを示す。
【図１０】いくつかの実施形態に従った、ＵＥの間のＤ２Ｄ動作に使用される送信構成を適合させるためにネットワークノードによって実行することができる動作および方法を示す。
【図１１】いくつかの実施形態に従った、ＵＥの間のＤ２Ｄ動作に使用される送信構成を適合させるためにネットワークノードによって実行することができる動作および方法を示す。
【図１２】いくつかの実施形態に従った、ＵＥの間のＤ２Ｄ動作に使用される送信構成を適合させるためにネットワークノードによって実行することができる動作および方法を示す。
【図１３】いくつかの実施形態に従った、ＵＥの間のＤ２Ｄ動作に使用される送信構成を適合させるためにネットワークノードによって実行することができる動作および方法を示す。
【図１４】いくつかの実施形態に従った、ＵＥの間のＤ２Ｄ動作に使用される送信構成を適合させるためにネットワークノードによって実行することができる動作および方法を示す。
【図１５】いくつかの実施形態に従った、ＵＥの間のＤ２Ｄ動作に使用される送信構成を適合させるためにネットワークノードおよび／またはＵＥによって実行することができる動作および方法を示す。
【図１６】いくつかの実施形態に従った、ＵＥの間のＤ２Ｄ動作に使用される送信構成を適合させるためにネットワークノードおよび／またはＵＥによって実行することができる動作および方法を示す。
【図１７】いくつかの実施形態に従った、ＵＥの間のＤ２Ｄ動作に使用される送信構成を適合させるためにネットワークノードおよび／またはＵＥによって実行することができる動作および方法を示す。
【図１８】いくつかの実施形態に従った、ＵＥの間のＤ２Ｄ動作に使用される送信構成を適合させるためにネットワークノードおよび／またはＵＥによって実行することができる動作および方法を示す。
【図１９】いくつかの実施形態に従った、別のＵＥでのＤ２Ｄ動作に使用される送信構成を適合させるためにＵＥによって実行することができる動作および方法を示す。
【図２０】いくつかの実施形態に従った、別のＵＥでのＤ２Ｄ動作に使用される送信構成を適合させるためにＵＥによって実行することができる動作および方法を示す。
【図２１】いくつかの実施形態に従った、別のＵＥでのＤ２Ｄ動作に使用される送信構成を適合させるためにＵＥによって実行することができる動作および方法を示す。
【図２２】いくつかの実施形態に従った、別のＵＥでのＤ２Ｄ動作に使用される送信構成を適合させるためにＵＥによって実行することができる動作および方法を示す。
【図２３】いくつかの実施形態に従った、別のＵＥでのＤ２Ｄ動作に使用される送信構成を適合させるためにＵＥによって実行することができる動作および方法を示す。
【図２４】いくつかの実施形態に従った、別のＵＥでのＤ２Ｄ動作に使用される送信構成を適合させるためにＵＥによって実行することができる動作および方法を示す。
【図２５】いくつかの実施形態に従った、別のＵＥでのＤ２Ｄ動作に使用される送信構成を適合させるためにＵＥによって実行することができる動作および方法を示す。
【図２６】いくつかの実施形態に従った、別のＵＥでのＤ２Ｄ動作に使用される送信構成を適合させるためにＵＥによって実行することができる動作および方法を示す。
【図２７】いくつかの実施形態に従った、別のＵＥでのＤ２Ｄ動作に使用される送信構成を適合させるためにＵＥによって実行することができる動作および方法を示す。
【図２８】いくつかの実施形態に従った、別のＵＥでのＤ２Ｄ動作に使用される送信構成を適合させるためにＵＥによって実行することができる動作および方法を示す。
【図２９】本明細書で開示される１つまたは複数の実施形態に従って動作するように構成されてもよいＵＥを示す。
【図３０】本明細書で開示される１つまたは複数の実施形態に従って動作するように構成されてもよいネットワークノードを示す。
【発明を実施するための形態】
【００２０】
以下の詳細な説明では、本発明の実施形態の完全な理解を提供するために、多数の特定の詳細が示される。しかしながら、それらの特定の詳細なしに本発明が実施されてもよいことが当業者によって理解されよう。他の例では、本発明を曖昧にしないように、公知の方法、手順、コンポーネントおよび回路が詳細には説明されていない。本明細書で開示される全ての実施形態が、別個に実装されてもよく、または任意の方法および／もしくは組合せで組み合わされてもよいことが意図される。
【００２１】
本開示のいくつかの実施形態は、別のＵＥ２に対するＤ２Ｄサービス／動作、例えば、Ｄ２Ｄブロードキャスト通信、Ｄ２Ｄグループ通信、Ｄ２Ｄユニキャスト通信、またはＤ２Ｄ発見をサポートするために、１つのＵＥ１の送信構成、例えば、送信電力、送信リソース割り当て手法、リソース割り当て方法、送信モード、および／または送信アンテナを適合させる方法を対象とする。
【００２２】
一実施形態では、方法は、
−第１のタイミング測定、例えば、ＵＥ１および第１の無線ネットワークノードと関連付けられたタイミングアドバンス、ＵＥ  Ｒｘ−Ｔｘ、ｅＮｏｄｅＢ  Ｒｘ−Ｔｘ、ラウンドトリップタイム（ＲＴＴ）、到達時間、および／または伝搬遅延を実行することと、
−少なくとも１つの第２のタイミング測定、例えば、ＵＥ２および第２の無線ネットワークノードと関連付けられたタイミングアドバンス、ＵＥ  Ｒｘ−Ｔｘ、ｅＮｏｄｅＢ  Ｒｘ−Ｔｘ、ＲＴＴ、到達時間、および／または伝搬遅延を実行することと、
を含む。
【００２３】
方法は、ＵＥ１、第１の無線ネットワークノード、制御ノードのうちの１つまたは複数において実装されてもよい。
【００２４】
図１０は、図５〜９のＵＥ２など、第２のＵＥへの直接通信に対して、図５〜９のＵＥ１など、第１のＵＥの送信構成を適合させるための第１のネットワークノード、例えば、図５〜９のｅＮＢ１による動作および方法のフローチャートを示す。図１０を参照して、動作および方法は、第１のＵＥ（ＵＥ１）と第１のネットワークノード（ｅＮＢ１）との間の第１のタイミング測定を取得すること（ブロック１０００）と、第２のＵＥ（ＵＥ２）と第２のネットワークノード（ｅＮＢ２）との間の第２のタイミング測定を取得すること（ブロック１００２）と、を含む。動作および方法はさらに、第１のタイミング測定および第２のタイミング測定に基づいて、第１のＵＥから第２のＵＥへの直接のワイヤレス通信の送信構成を適合させること（ブロック１００４）を含む。
【００２５】
図１９は、図５〜９のＵＥ２など、第２のＵＥへの直接通信に対して、送信構成を適合させるための図５〜９のＵＥ１など、第１のＵＥによる動作および方法のフローチャートを示す。図１９を参照して、動作および方法は、第１のＵＥ（ＵＥ１）と第１のネットワークノード（ｅＮＢ１）との間の第１のタイミング測定を取得すること（ブロック１９００）と、第２のＵＥ（ＵＥ２）と第２のネットワークノード（ｅＮＢ２）との間の第２のタイミング測定を取得すること（ブロック１９０２）と、を含む。動作および方法はさらに、第１のタイミング測定および第２のタイミング測定に基づいて、第１のＵＥ（ＵＥ１）から第２のＵＥ（ＵＥ２）への直接のワイヤレス通信の送信構成を適合させること（ブロック１９０４）を含む。
【００２６】
このアプローチの潜在的な利点は、ＵＥの間の経路損失の知識を必要とすることなく、タイミング測定に基づいて、第１のＵＥの送信構成を迅速に適合させることができることである。第１のＵＥの初期送信電力レベルは、最初に第２のＵＥに送信するときの送信機構成に基づいて制約されてもよく、この制約によって、第１のＵＥが、他のＵＥおよびネットワークノードに不必要に干渉する過度な送信電力レベルにおいて第２のＵＥに最初に送信することを回避することができる。
【００２７】
本明細書で説明されるように、タイミング測定のうちの１つまたは両方は、第１および第２のＵＥ（ＵＥ１およびＵＥ２）のそれぞれに通信されるタイミングアドバンス値、第１のＵＥ（ＵＥ１）から第１のネットワークノード（ｅＮＢ１）への送信伝搬時間、第１のネットワークノード（ｅＮＢ１）から第１のＵＥ（ＵＥ１）への送信伝搬遅延、ラウンドトリップ送信伝搬遅延、ならびに到達時間測定に基づいて取得されてもよい。
【００２８】
一実施形態では、第１の無線ネットワークノードは、ＵＥ１のサービングノードであり、第２の無線ネットワークノードは、ＵＥ２のサービングノードである。また、２つ以上のサービングセル（またはさらにサービングノード）が、例えば、キャリアアグリゲーションにおいて、ＵＥに対して存在してもよいことに留意されたい。
【００２９】
送信電力などの送信構成の適合は、Ｄ２Ｄに対してＵＥ１のカバレッジレンジを制御して、１つの受信機がＤ２Ｄに適切な非常に多くの送信ＵＥを観察するときなど、ネットワークにおいてパイロットポリューションを低減させ、ネットワークにおいて不必要な干渉を低減させるなどのために利用されてもよい。送信電力などの送信構成の適合はまた、ＵＥ１における電力消費を低減させることができる。
【００３０】
送信電力などの送信構成は、ＵＥ１がＤ２ＤにおいてＵＥ２と最初に直接通信するために使用する初期送信（ｔｒａｎｓｍｉｓｓｉｏｎ）電力レベルを制御するように適合されてもよい。その後、ＵＥ１は、受信された信号強度、ＵＥ１からＵＥ２へのおよび／またはその逆の推定された経路損失またはパスゲイン、ＵＥ２によってＵＥ１に送信された送信電力制御コマンドなど、ＵＥ１によって受信されたＵＥ２によりシグナリングされたパラメータを含むことができる開ループおよび／または閉ループ電力制御処理に基づいて、その送信電力構成を適合させてもよい。
【００３１】
略語および一般用語
デバイスツーデバイス（Ｄ２Ｄ）。いくつかの例では、用語「Ｄ２Ｄ」および「近接サービス」（ＰｒｏＳｅ）は、交換可能に使用されてもよい。
【００３２】
Ｄ２Ｄデバイスは、本明細書では、ＵＥとも称される。Ｄ２Ｄデバイスは、直接無線リンク上で無線信号を少なくとも受信または送信すること、すなわち、ネットワークノードまたは他のデバイスを通じて中継することなく１つのデバイスと別のＤ２Ｄ対応デバイスとの間で直接通信することが可能な任意の通信デバイス（エンティティ）を備えてもよい。Ｄ２Ｄ対応デバイスまたはＵＥはまた、セルラＵＥ、ＰＤＡ、ワイヤレスデバイス、ラップトップ、モバイル、センサ、リレー、Ｄ２Ｄリレー、またはさらにＵＥと同等のインタフェースを採用する小型基地局などに備えられてもよい。
【００３３】
Ｄ２Ｄ送信は、Ｄ２Ｄデバイスによる任意の送信である。Ｄ２Ｄ送信のいくつかの例は、物理信号もしくは物理チャネル、専用もしくは共通／共有、例えば、参照信号、同期信号、制御チャネル、データチャネル、ブロードキャストチャネル、および／またはページングチャネルである。直接無線リンク上のＤ２Ｄ送信は、別のＤ２Ｄデバイスによって受信することが意図される。Ｄ２Ｄ送信は、ユニキャスト、グループキャスト、またはブロードキャスト送信であってもよい。
【００３４】
調整ノードは、セルラ送信およびＤ２Ｄ送信のうちの少なくとも１つに使用されることになる時間−周波数リソースをスケジュールするか、少なくとも部分的に決定するか、または選択するノードである。調整ノードはまた、スケジューリング情報を、別のＤ２Ｄデバイス、クラスタヘッド、ｅＮｏｄｅＢなどの無線ネットワークノード、またはネットワークノード、例えば、コアネットワークノードなどの別のノードに提供してもよい。調整ノードは、無線ネットワークノードと通信してもよい。
【００３５】
無線スペクトル：実施形態の少なくともいくつかが、ＵＬスペクトル（ＦＤＤ）またはＵＬリソース（ＴＤＤ）におけるＤ２Ｄ送信に対して説明されるが、実施形態は、ＵＬ無線リソースの使用、認可もしくは未認可スペクトル、またはいずれかの特定のネットワークに限定されることはない。
【００３６】
セルラネットワークは、例えば、ＬＴＥネットワーク（ＦＤＤもしくはＴＤＤ）、ＵＴＲＡネットワーク、ＣＤＭＡネットワーク、ＷｉＭＡＸ、ＧＳＭネットワーク、またはセルラ動作に対して任意の１つもしくは複数の無線アクセス技術（ＲＡＴ）を採用するいずれかのネットワークを備えてもよい。種々の実施形態が、本明細書でＬＴＥネットワークのコンテキストにおいて説明されるが、これらのおよび他の実施形態は、ＬＴＥ無線アクセス技術（ＲＡＴ）に限定されない。
【００３７】
本明細書で開示される種々の実施形態が使用することができる例示的なＲＡＴは、ＬＴＥ、ＧＳＭ、ＣＤＭＡ、ＷＣＤＭＡ、ＷｉＦｉ、ＷＬＡＮ、ＷｉＭＡＸなどを含むことができるが、それらに限定されない。
【００３８】
ネットワークノードは、無線ネットワークノードまたは別のネットワークノードであってもよい。無線ネットワークノードのいくつかの例は、無線基地局、リレーノード、アクセスポイント、クラスタヘッド、ＲＮＣなどである。無線ネットワークノードは、ワイヤレス通信ネットワークに含まれ、また、セルラ動作をサポートすることができる。無線ネットワークノードではないネットワークノードのいくつかの例は、コアネットワークノード、ＭＭＥ、ワイヤレスデバイスのモビリティを少なくとも部分的に制御するノード、ＳＯＮノード、Ｏ＆Ｍノード、ポジショニングノード、サーバ、アプリケーションサーバ、Ｄ２Ｄサーバ（全てではないがいくつかのＤ２Ｄ関連の能力を有することができる）、外部ノード、または別のネットワークに備えられたノードである。
【００３９】
本明細書で説明される実施形態は、任意の方法で相互に組み合わされてもよい。
【００４０】
タイミング測定に基づくＤ２Ｄ  ＵＥの送信電力を適合させるための方法および動作
この章では、Ｄ２Ｄ  ＵＥ（以下ではＵＥ１と称される）の送信電力を適合させるための方法および動作が説明され、Ｄ２Ｄに関連した１つまたは複数の無線信号またはチャネル、例えば、Ｄ２Ｄ同期信号、Ｄ２Ｄ同期チャネル、ビーコン、Ｄ２Ｄ制御チャネル、Ｄ２Ｄデータチャネル、Ｄ２Ｄ共有チャネル、Ｄ２Ｄ関連無線信号、発見信号、および／またはＤ２Ｄ通信に使用される無線信号を送信するために、適合された送信電力レベルが使用される。
【００４１】
一実施形態は、
１）第１のタイミング測定、例えば、ＵＥ１および第１の無線ネットワークノード、例えば、図５〜９のｅＮＢ１と関連付けられたタイミングアドバンス、ＵＥ  Ｒｘ−Ｔｘ、ｅＮｏｄｅＢ  Ｒｘ−Ｔｘ、ラウンドトリップタイム（ＲＴＴ）、到達時間、ならびに／または伝搬遅延と、
２）少なくとも１つの第２のタイミング測定、例えば、図５〜９のＵＥ２などの第２のＵＥおよび図５〜９のｅＮＢ２などの第２の無線ネットワークノードと関連付けられたタイミングアドバンス、ＵＥ  Ｒｘ−Ｔｘ、ｅＮｏｄｅＢ  Ｒｘ−Ｔｘ、ＲＴＴ、到達時間、ならびに／または伝搬遅延と
に少なくとも基づいて、少なくとも１つのＤ２Ｄ関連無線信号またはチャネルを、図５〜９のＵＥ２などの第２のＵＥに送信するために、図５〜９のＵＥ１などの第１のＵＥの送信電力を適合させることを含む。
【００４２】
第１のタイミング測定は、適合された送信電力レベルにおいてＵＥ１送信に使用される周波数／周波数帯域／ＲＡＴと同一の周波数、周波数帯域、またはＲＡＴ上で実行されてもよく、または実行されなくてもよい。
【００４３】
第２のタイミング測定は、適合された送信電力レベルにおいてＵＥ１送信に使用される周波数／周波数帯域／ＲＡＴと同一の周波数、周波数帯域、またはＲＡＴ上で実行されてもよく、または実行されなくてもよい。
【００４４】
第１のＵＥ（ＵＥ１）がデータをＵＥ２よりも多くのＵＥ、例えば、ＵＥ３、ＵＥ４…ＵＥＮに送信しているとき、対応する関連付けられたタイミング測定の関数は、代わりに第１のＵＥの送信構成、例えば、送信電力を適合させるために使用されてもよい。関数は、「ｍｉｎ（…，…，…）」、「ｍａｘ（…，…，…）」、ＵＥのＸパーセンタイル値、「ｍｅａｎ（…，…，…）」などであってもよい。より一般的に、追加のタイミング測定は、追加のＵＥ、例えば、ＵＥ３、ＵＥ４…ＵＥＮの各々と、それらがそれぞれ通信する無線ネットワークノードとの間で取得されてもよく、第１のＵＥの送信構成、例えば、送信電力は、追加のタイミング測定のいくつかまたは全てに基づいて適合されてもよい。追加のタイミング測定は、数学的に組み合わされて、例えば、平均されて、第１のＵＥの送信構成を適合させるために使用される値を生成してもよく、ならびに／または、選択が追加のタイミング測定の間でなされてもよく、例えば、第１のＵＥの送信構成を適合させるための使用のために、最小タイミング値に基づいて選択し、および／もしくは最大タイミング値に基づいて選択する。
【００４５】
図５〜９は、複数のＵＥと１つまたは複数のネットワークノード、例えば、ｅＮＢとの間の通信シナリオを示す。本明細書で使用される第１のネットワークノードおよび第２のネットワークノードという語句は、同一のネットワークノードを指すことがある。例えば、図５および７に示されるように、第１のネットワークノード（ｅＮＢ１）は、第２のネットワークノード（ｅＮＢ２）と同一である。一方で、本明細書で使用される第１のＵＥおよび第２のＵＥという語句は、異なるＵＥを指し、例えば、ＵＥ１は、ＵＥ２と同一でない。
【００４６】
図５の通信シナリオでは、第１の無線ネットワークノード（ｅＮＢ１）は、同一の回路または配列された回路を有することによってなど、第２の無線ネットワークノード（ｅＮＢ２）と同一である。ＴＡ１は、第１のＵＥ（ＵＥ１）とｅＮＢ１との間の距離を反映するタイミング測定、例えば、タイミングアドバンスである。ＴＡ２は、第２のＵＥ（ＵＥ２）とｅＮＢ２との間の距離を反映するタイミング測定、例えば、タイミングアドバンスである。
【００４７】
図６の通信シナリオでは、第１の無線ネットワークノード（ｅＮＢ１）および第２の無線ネットワークノード（ｅＮＢ２）は異なり、かつ間隔が空けられる。ＴＡ１は、ＵＥ１とｅＮＢ１との間の距離を反映するタイミング測定、例えば、タイミングアドバンスである。ＴＡ２は、ＵＥ２とｅＮＢ２との間の距離を反映するタイミング測定、例えば、タイミングアドバンスである。
【００４８】
図７の通信シナリオでは、第１の無線ネットワークノード（ｅＮＢ１）は、第２の無線ネットワークノード（ｅＮＢ２）と同一であり、第１および第２のＵＥ（ＵＥ１およびＵＥ２）はまた、セルの同一のセル部分にある（セルは、オムニセルであってもよく、またはそうでなくてもよく、すなわち、それは、指向性アンテナによってもサーブされてもよい）。ＴＡ１は、ＵＥ１とｅＮＢ１との間の距離を反映するタイミング測定、例えば、タイミングアドバンスである。ＴＡ２は、ＵＥ２とｅＮＢ２との間の距離を反映するタイミング測定、例えば、タイミングアドバンスである。
【００４９】
図８の通信シナリオでは、ＵＥ１およびＵＥ２は、相互に近接しており（相互のＤ２Ｄ通信レンジ内にある）、したがって、それらの間でＤ２Ｄ通信を実行している間は、それらは、最大電力で送信する必要がなくてもよい。しかしながら、ＵＥ２および第３のＵＥ（ＵＥ３）が同一または類似のＴＡを有するとしても、ＵＥ１およびＵＥ３は相互に近接していない。これは、ＵＥ１のセルおよびＵＥ３のセルが直接隣接していないからである。
【００５０】
図９の通信シナリオは、以下の動作および方法に従って、第１および第２のタイミング測定、例えば、タイミングアドバンス（ＴＡ）を取得する。
（ａ）ｅＮＢ１によってサーブされるＵＥ１は、そのＴＡ１をセルラリンクを介してｅＮＢ１から取得し、Ｄ２Ｄリンクを介してｅＮＢ２によってサーブされるＵＥ２のＴＡ２を取得し、
（ｂ）ｅＮＢ２によってサーブされるＵＥ３は、そのＴＡ３をｅＮＢ２から取得し、ＵＥ２のＴＡ２をＤ２Ｄリンクを介してＵＥ２からもしくはＵＥ１から、またはセルラリンクを介してｅＮＢ２（専用もしくはブロードキャスト）から取得する。
【００５１】
図９におけるＤ２Ｄリンクは、破線によって表される。ＵＥ２は、ユニキャスト、マルチキャスト、またはブロードキャストＤ２Ｄ送信機であってもよい。
【００５２】
さらなる例では、ＵＥ１は、ブロードキャストまたはマルチキャストＵＥであってもよい。別の例では、ＵＥ１は、ＵＥ２へのユニキャスト送信を有してもよい。ＵＥ１はまた、ＵＥ２に応答する必要性に応答して（例えば、ＵＥ２からの送信を受信すると、ＵＥ１は、適合された送信電力であるが送信する）、またはＵＥ２からのフィードバックに基づいて、その送信電力を適合させていてもよい。さらなる別の例では、Ｄ２Ｄ関連無線信号／チャネルは、必ずしもそうではないが、アップリンクスペクトルにおいて送信されてもよい、ブロードキャスト／マルチキャスト／ユニキャスト無線信号またはチャネル（例えば、Ｄ２Ｄの目的のために構成／使用される参照信号または同期信号などの物理信号、共通もしくは専用データチャネルまたは制御チャネル）であってもよい。
【００５３】
より具体的に、いくつかの実施形態に従った、第１のネットワークノードおよび／または第１のＵＥ、例えば、ＵＥ１によって実行される方法および動作は、以下のステップを含むことができる。
１．第１のタイミング測定を取得すること、
−いくつかの例示的な実施形態では、第１のタイミング測定は、測定を実行することであって、例えば、ＵＥ１が、ｅＮＢ１から受信された信号に基づいて測定する、ことと、別のデバイスから測定を読み込み／読み出すことであって、例えば、ＵＥ１は、第１のタイミング測定をｅＮＢ１から読み込み／読み出すことができる、ことと、測定を計算することと、別のデバイスから上位もしくは下位レイヤシグナリング、またはクロスレイヤ通信を介して測定を受信することと、のうちの１つまたは複数を実施することによって取得されてもよく、
２．少なくとも１つの第２のタイミング測定を取得すること、
−いくつかの例示的な実施形態では、第２のタイミング測定は、測定を実行することであって、例えば、ＵＥ１が、ＵＥ２から受信された信号に基づいて測定する、ことと、別のデバイスから測定を読み込み／読み出すことであって、例えば、ＵＥ２は、ｅＮＢ２から受信された信号に基づいて測定し、またはその逆を行い、かつ第２のタイミング測定は、ＵＥ１に通信される、ことと、測定を計算することと、別のデバイスからの上位もしくは下位レイヤシグナリング、またはクロスレイヤ通信を介して測定を受信することと、のうちの１つまたは複数を実施することによって取得されてもよく、
３．（任意選択）追加の情報を取得すること、
−追加の情報は、測定を実行することと、別のデバイスから測定を読み込み／読み出すことと、測定を計算することと、別のデバイスからの上位もしくは下位レイヤシグナリング、またはクロスレイヤ通信を介して測定を受信することと、のうちの１つまたは複数を実施することによって取得されてもよく、
４．少なくとも１つのＤ２Ｄ関連無線信号またはチャネルを送信するために、取得された第１および第２の測定、ならびに任意選択で取得された追加の情報に基づいて、かつ適合された送信電力レベルを使用して、ＵＥ１の送信構成、例えば、送信電力を適合させること、
−いくつかの例示的な実施形態では、適合は、電流レベルまたは参照電力レベルに関するＵＥ１の送信電力レベルにおける増大または減少、例えば、最大送信電力レベルに関する減少を備えてもよい。送信電力の量の変更（デルタ）は、適合を実行するノード、例えば、ＵＥ１において事前規定されてもよく、構成可能であってもよく、別のノード、例えば、ＵＥ２および／もしくはネットワークノードによってシグナリングされてもよく、または適合を実行するノード、例えば、ＵＥ１によって自律的に決定されてもよい。
−より一般的には、適合結果は、以下の式に基づいて、少なくとも第１のタイミング測定および１つまたは複数の第２の測定の関数として提示されてもよい。
ＴｘＰｏｗｅｒＡｄａｐｔａｔｉｏｎＲｅｓｕｌｔ＝ｆ（ＴｉｍｉｎｇＭｅａｓｕｒｅｍｅｎｔ１，ＴｉｍｉｎｇＭｅａｓｕｒｅｍｅｎｔ２ａ，［ＴｉｍｉｎｇＭｅａｓｕｒｅｍｅｎｔ２ｂ，…］，［ＡｄｄｉｔｉｏｎａｌＩｎｆｏｒｍａｔｉｏｎ］）
５．（任意選択）ＵＥ１または他のノード、例えば、適合を実行するノードによってなど、適合された送信電力レベル情報またはその少なくとも一部を、別のネットワークノード、ＵＥ１、または別のＵＥにシグナリングまたは転送すること、
−１つの例示的な実施形態では、適合がＵＥ１とは異なるノードにおいて実行される場合、送信電力適合結果は、メッセージまたはコマンドにおいてなど、物理チャネルまたは上位レイヤを介してＵＥ１に提供されてもよい。
−別の例示的な実施形態では、適合された送信電力結果は、ハンドオーバにおいて、またはＲＲＭの目的で、隣接無線ネットワークノード、例えば、隣接ｅＮｏｄｅＢに提供されてもよい。
−さらなる別の例示的な実施形態では、適合された送信電力は、制御ノードによって、ＵＥ１またはそのサービングｅＮｏｄｅＢにシグナリングされる。
−さらなる別の例示的な実施形態では、ＵＥ１は、適合結果の少なくとも一部を備えるデータを、例えば、ブロードキャストメッセージにおいて、または物理チャネルを介して適合された送信電力設定を示すインジケータを送信する際に、そのサービングｅＮｏｄｅＢ、制御ノード、または別の１つもしくは複数のＵＥにシグナリングする。
【００５４】
適合は、例えば、ＵＥ２からの、前の適合結果に関連するフィードバックを伴ってまたはなしで、同一のＵＥ１に対して２回以上実行されてもよい。
【００５５】
例示的な実施形態では、適合は、トリガイベント（例えば、ハンドオーバにおけるＤ２Ｄ送信、またはＰＣｅｌｌ変更を開始すること）または条件（例えば、第１のタイミング測定が第１の閾値よりも多く変更するとき、および／または第２のタイミング測定が第２の閾値よりも多く変更するとき）、別のノードからの要求またはインジケーションがあると、周期的に実行されてもよい。
【００５６】
第１および第２の無線ネットワークノード、例えば、ｅＮＢ１およびｅＮＢ２は、同一または異なってもよい。ステップは、ＵＥもしくはネットワークノードなどの同一の１つのノードにおいて、またはいくつかの異なるノード上で実装されてもよい。
【００５７】
送信構成の適合は、半静的または動的であってもよい。いくつかのさらなる例示的な実施形態では、適合は、以下の９個の方法ステップおよび動作に基づく。
１）例えば、標準またはテーブルに基づく事前規定されたルール。
例示的な実施形態では、適合は、タイミング測定の比較に基づいてもよい。タイミング測定は、規定された式への入力値として、および／または送信構成を適合させるために使用される適合値を出力するためにテーブルにおける値の中から選択するために提供されてもよい。
２）閾値との第１のタイミング測定の比較。
例示的な実施形態では、第１のタイミング測定は、２つ以上の規定された送信電力レベルの間で選択するために第１の閾値と比較されてもよい。第１の閾値は、ＵＥ１の最大送信電力に基づいて規定されてもよい。
３）閾値との第２のタイミング測定の比較。
例示的な実施形態では、第１のタイミング測定は、２つ以上の規定された送信電力レベルの間で選択するために第２の閾値と比較されてもよい。第２の閾値は、ＵＥ２の最大送信電力に基づいて規定されてもよい。
４）第１のタイミング測定および第２のタイミング測定の相互の比較。
５）閾値との第１のタイミング測定と第２のタイミング測定との間の差の比較。
例示的な実施形態では、第１のタイミング測定と第２のタイミング測定との間の差が閾値未満であるとき、ＵＥ１およびＵＥ２は、同一のセルまたはセル部分の中にいると判定されてもよく、ＵＥ１の送信構成は、ＵＥ２へのその近接性に基づいて設定されてもよく、例えば、ＵＥ１の送信電力は、第１のタイミング測定と第２のタイミング測定との間の差が閾値を上回る場合よりも低いレベルに設定されてもよい。
６）例えば、第１の無線ネットワークノードおよび第２の無線ネットワークノードが同一または異なるか、隣接しているか否かを判定するための、ネットワークノード識別の比較。
例示的な実施形態では、ＵＥ１は、例えば、無線ネットワークノードが近隣セルを有する無線ネットワークノード隣接関連付けを規定する情報を包含することができる。したがって、ＵＥ１は、ＵＥ１およびＵＥ２にサーブする無線ネットワークノードに対する識別に基づいて、ＵＥ２に対してＵＥ１がどの程度近いかを判定することができる。
７）無線ネットワークノードと関連付けられた第１のセル、例えば、サービングセル、キャンピングセル、カバレッジを提供するセル、および第２の無線ネットワークノードと関連付けられた第２のセルが同一または異なるか、隣接しているか否かを判定するためのセルの比較。
８）第１の無線ネットワークノードと関連付けられた第１のセル部分、例えば、セル内のＵＥ位置を示すセル部分、および第２の無線ネットワークノードと関連付けられた第２のセル部分が同一または異なるか、隣接しているか否かを判定するためのセルの比較。
例示的な実施形態では、同一のセルおよび同一のセル部分、同一または類似の、例えば、閾値内のＵＥにおいて、タイミング測定が相互に近い可能性が高く、よって、送信ＵＥ１は、最大送信電力レベルで送信する必要がないが、その送信電力をデルタ、例えば、事前規定された、または構成可能な分、減少させることができる。
９）第１および少なくとも１つの第２のタイミング測定の関数の使用。
例示的な実施形態では、１つの送信電力レベルは、第１のタイミング測定に基づいて判定されてもよく、別の送信電力レベルは、第２のタイミング測定に基づいて判定されてもよく、送信電力レベルのうちの大きい方の１つは、ＵＥ１の送信電力レベルを制御するための使用のために選択されてもよい。このアプローチは、閾値を超える差が第１のタイミング測定と第２のタイミング測定との間で識別されるときの使用のために選択されてもよい。
【００５８】
タイミング測定に対して実行することができるいくつかの例示的な動作および方法は、タイミングアドバンス（ＴＡ）、到達時間、伝搬遅延、ＵＥ  Ｒｘ−Ｔｘ、ｅＮｏｄｅＢ  Ｒｘ−Ｔｘ、およびラウンドトリップタイム（ＲＴＴ）のうちの１つまたは複数を含むことができる。
【００５９】
第１のタイミング測定は、ＵＥ１と第１の無線ネットワークノードとの間の距離を反映しており、第２のタイミング測定は、ＵＥ２と第２の無線ネットワークノードとの間の距離を反映している。
【００６０】
ＵＥの送信構成を適合するために使用することができる追加の情報のいくつかの例は、以下のうちの１つまたは複数を含むことができる。
１）ＵＥ１にサーブするセルのノードおよび／またはセル識別、例えば、ＰＣＩ。
２）ＵＥ２にサーブするセルのノードまたはセル識別、例えば、ＰＣＩ。これは、例えば、異なる隣接ｅＮｏｄｅＢの２つのセルが相互に直接隣接していてもよく、またはそうでなくてもよいからである。
例示的な実施形態では、ＵＥ１の送信電力レベルは、ＵＥ１およびＵＥ２が同一の無線ネットワークノードによってサーブされているか、近隣無線ネットワークノードによってサーブされているか、既知の相対地理的間隔を有する異なる無線ネットワークノードによってサーブされているか、同一のセル内に位置しているか、近隣セル内に位置しているか、既知の相対地理的間隔を有する異なるセルに位置しているか、などを示すノードまたはセル識別に基づいて適合される。
３）ＵＥ１のセル内の、ＵＥ１と関連付けられたセル部分を記述したデータまたはインデックス。
４）ＵＥ２のセル内の、ＵＥ２と関連付けられたセル部分を記述したデータまたはインデックス。
例示的な実施形態では、ＵＥ１の送信電力レベルは、ＵＥ１およびＵＥ２が同一のセル部分に位置しているか、近隣セル部分内に位置しているか、既知の相対地理的間隔を有する異なるセル部分に位置しているか、などを示すデータまたはインデックスに基づいて適合される。
５）ＵＥ１の位置を示す、地理的エリア、例えば、ローカルエリアを記述したデータまたはインデックス。
６）ＵＥ２の位置を示す、地理的エリア、例えば、ローカルエリアを記述したデータまたはインデックス。
例示的な実施形態では、ＵＥ１の送信電力レベルは、ＵＥ１およびＵＥ２の地理的エリアを示すデータまたはインデックス、ならびにＵＥ間の相対地理的間隔の判定に基づいて適合される。
７）別の無線測定、例えば、ＵＥ１および／または第１の無線ネットワークノードによって実行されるＵＥ１に対する到着角度、受信された信号電力、受信された信号品質などの直接測定。
８）別の無線測定、例えば、ＵＥ２および／または第２の無線ネットワークノードによって実行されるＵＥ２に対する到着角度、受信された信号電力、受信された信号品質などの直接測定。
９）サイト間距離またはセルレンジ、例えば、約３ｋｍのセルサイズを有するｅＮｏｄｅＢ１に対して５００ｍに対応するＴＡを有するＵＥは、約３ｋｍのセルサイズを有するｅＮｏｄｅＢ２に対して１００ｍに対応するＴＡを有するＵＥから遠く離れている可能性が高い。
１０）ＵＥ２からのフィードバック、例えば、最大出力電力レベルで、または適合されたレベルで送信されたＵＥ１からの信号／チャネルを受信する、ＵＥ２によるチャネル品質測定。ＵＥ２からのフィードバックは、ＵＥ２との初期通信に対するＵＥ１の送信構成の初期適合を実行するために受信および使用されてもよく、ならびに／またはＵＥ２からのフィードバックは、ＵＥ２との継続した通信の間にＵＥ１の送信を適合させるために受信および使用されてもよい。
【００６１】
システムの種々の異なるコンポーネントは、送信構成を適合させるために使用される測定を実行し、および／または以下の実施形態のうちの１つもしくは複数に従って、送信構成の適合を実行するために使用されてもよい。
【００６２】
１．送信構成適合がＵＥ１において実行される
ＵＥ１は、第１の無線測定、例えば、ＵＥ  Ｒｘ−ＴｘもしくはＴＡを実行してもよく、または第１の無線ネットワークノード、例えば、ｅＮｏｄｅＢ  Ｒｘ−ＴｘもしくはＴＡから測定値を受信してもよい。
【００６３】
ＵＥ１は、例えば、ブロードキャスト／マルチキャスト／ユニキャストを介してＵＥ２から、第２の無線ネットワークノード、例えば、ｅＮＢ２から、または別のノード、例えば、調整ノードから、ＵＥ２に対する第２のタイミング測定、例えば、ＴＡを受信してもよい。
【００６４】
２．送信構成適合が別のＵＥにおいて実行される
ＵＥ１とは異なる別のＵＥ、例えば、ＵＥ２または別のＵＥは、適合を実行し、および適合された送信電力レベルを使用するようＵＥ１に指示してもよい。適合結果は、ＵＥ２に直接、または少なくともｅＮＢ１を介してシグナリングされてもよい。
【００６５】
３．送信構成適合が第１の無線ネットワークノードまたは制御ノードにおいて実行される
この例示的な実施形態における第１のタイミング測定は、第１の無線ネットワークノード、もしくは、例えば、測定を第１の無線ネットワークノードに報告することができるＵＥ１によって実行されてもよく、またはＵＥ１から受信されてもよい。第１の無線ネットワークノードまたは制御ノードは、適合を実行してもよく、適合された送信電力レベルは、ＵＥ１または別のネットワークノードにシグナリングされてもよい。
【００６６】
図１１のフローチャートを参照して、ネットワークノードは、第１のＵＥ（ＵＥ１）が第２のＵＥ（ＵＥ２）に送信する送信電力レベルを制御するために、送信構成を使用して第２のＵＥ（ＵＥ２）とのデバイスツーデバイス直接通信を実行するよう第１のＵＥ（ＵＥ１）に指示する情報を包含するメッセージを送信することができる（ブロック１１００）。例えば、送信構成は、第１のネットワークノードからＵＥ１への、および／または第１のネットワークノードを介して第２のネットワークノードからＵＥ１へのメッセージにおいて通信されてもよい。
【００６７】
４．送信構成適合が、ＵＥ２からの受信された送信に応答して、送信に対してＵＥ１において実行される
この例示的な実施形態では、ＵＥ１は、１つまたは複数の送信をＵＥ２から受信し、および受信された送信のうちの少なくとも１つに応答してその送信電力を適合させる。
【００６８】
さらなる例示的な実施形態では、１つまたは複数の送信は、第２のタイミング測定、例えば、第２の無線ネットワークノードに関するＵＥ２のタイミングアドバンスを備える、ＵＥ２によって送信された（ブロードキャスト／グループキャスト／ユニキャスト）制御情報を備える。
【００６９】
別の例示的な実施形態では、１つまたは複数の送信は、（１）第２のタイミング測定、例えば、第２の無線ネットワークノードに関するＵＥ２のタイミングアドバンスを備える、ＵＥ２によって送信された、例えば、ブロードキャスト、グループキャスト、もしくはユニキャストされた制御情報、および（２）データ送信、例えば、ブロードキャスト送信、を備える。次いで、ＵＥ１は、受信されたデータ送信に応答して、第２のタイミング測定に適合された送信電力で送信する。
【００７０】
タイミング測定に基づいてＤ２Ｄ  ＵＥに対する送信リソース割り当てを適合させる方法
第１および第２の無線ネットワークノードとそれぞれ関連付けられた第１および第２のタイミング測定に（また、場合によっては、任意選択の追加の情報にも）少なくとも基づいて、ＵＥ１およびＵＥ２の近接性を判定する「タイミング測定に基づいて、Ｄ２Ｄ  ＵＥの送信電力を適合させる方法および動作」の下で上記説明された原理は、例えば、以下のうちの１つまたは複数を含む、構成を適合させるために全体的に適用されてもよい。
１）送信電力制御および／または電力適合、
２）送信リソース割り当て／適合、例えば、上記実施形態に基づいて、ＵＥ１およびＵＥ２が相互に近いと判定されるときのリソース割り当て手法１またはリソース割り当て方法１、そうでない場合、リソース割り当て手法２またはリソース割り当て方法２、
３）送信モード選択／適合、ならびに
４）送信アンテナ構成選択／適合、例えば、マルチアンテナ送信、アンテナビーム構成またはアンテナ放射パターン、アンテナ方向、アンテナ切り替え構成に対するアンテナタイプ、アンテナインデックスまたは送信アンテナの組を選択すること。
【００７１】
いくつかの実施形態に従ったさらなる動作および方法は、以下のステップ、
１）例えば、
ａ．測定を実行すること、測定を読み込み／読み出しすること、測定を計算すること、上位もしくは下位レイヤシグナリング、またはクロスレイヤ通信を介して測定を受信すること、のうちの１つまたは複数を行うことによって、
第１のタイミング測定を取得することと、
２）例えば、
ａ．測定を実行すること、測定を読み込み／読み出しすること、測定を計算すること、上位もしくは下位レイヤシグナリング、またはクロスレイヤ通信を介して測定を受信すること、のうちの１つまたは複数を行うことによって、
少なくとも１つの第２のタイミング測定を取得することと、
３）（任意選択）例えば、
ａ．測定を実行すること、測定を読み込み／読み出しすること、測定を計算すること、上位もしくは下位レイヤシグナリング、またはクロスレイヤ通信を介して測定を受信すること、のうちの１つまたは複数を行うことによって、
追加の情報を取得することと、
４）送信構成、例えば、リソース割り当て手法、リソース割り当て方法、送信モード、および送信アンテナを適合させることと、
５）（任意選択）例えば、ＵＥ１または他のノード、例えば、適合を実行するノードによって、適合された送信構成またはその少なくとも一部を別のネットワークノード、ＵＥ１または別のＵＥにシグナリングまたは転送することと
を含むことができる。
【００７２】
ネットワークノードによる上記開示された実施形態の概要
上記説明された図１０のさらなる実施形態を示す、図１２の実施形態を参照して、第１のネットワークノード（ｅＮＢ１）は、送信構成に基づいて、第２のＵＥ（ＵＥ２）に送信するときの第１のＵＥ（ＵＥ１）の送信電力レベルを構成する（ブロック１２００）ことによって、第２のＵＥ（ＵＥ２）への直接通信に対して第１のＵＥ（ＵＥ１）の送信構成を適合させる。
【００７３】
送信構成は、送信電力レベルに限定されない。いくつかの他の実施形態では、送信構成は代わりに、または追加として、送信するための時間リソースおよび周波数リソースを含んでもよい。図１３の実施形態を参照して、第１のネットワークノード（ｅＮＢ１）は、送信構成に基づいて、第２のＵＥ（ＵＥ２）に向かって送信するときの第１のＵＥ（ＵＥ１）による使用のための時間リソースおよび周波数リソースのうちの１つまたは両方を選択する（ブロック１３００）ことによって、第１のＵＥ（ＵＥ１）の送信構成を適合させる。
【００７４】
図１４の実施形態を参照して、第１のネットワークノード（ｅＮＢ１）は、第２のネットワークノード（ｅＮＢ２）と関連付けられた識別子を取得し（ブロック１４００）、ならびに第２のネットワークノード（ｅＮＢ２）と関連付けられた識別子および第１のネットワークノード（ｅＮＢ１）と関連付けられた識別子の比較に基づいて、第１のＵＥ（ＵＥ１）から第２のＵＥ（ＵＥ２）への直接のワイヤレス通信の送信構成を適合させる（ブロック１４０２）。第１および第２のネットワークノードに関連付けられた識別子は、それぞれのネットワークノードの識別子、それぞれのネットワークノードと関連付けられたセルの識別子、またはそれぞれのネットワークノードと関連付けられたセル部分の識別子、のうちのいずれかであってもよい。
【００７５】
ネットワークノードおよび／またはＵＥによる上記開示された実施形態の概要
図１５の実施形態を参照して、第１のネットワークノード（ｅＮＢ１）および／または第１のＵＥ（ＵＥ１）は、第１のＵＥ（ＵＥ１）に対する第１のサービングセルと関連付けられた識別子を取得し、ならびに第２のＵＥ（ＵＥ２）に対する第２のサービングセルと関連付けられた識別子を取得する（ブロック１５０２）。第１のネットワークノード（ｅＮＢ１）および／または第１のＵＥ（ＵＥ１）は、第１のＵＥ（ＵＥ１）に対する第１のサービングセルと関連付けられた識別子および第２のＵＥ（ＵＥ２）に対するサービングセルと関連付けられた識別子の比較に基づいて、第１のＵＥ（ＵＥ１）から第２のＵＥ（ＵＥ２）への直接のワイヤレス通信の送信構成を適合させる（ブロック１５０４）。第１および第２のネットワークノード（ｅＮＢ１、ｅＮＢ２）と関連付けられた識別子は、それぞれのネットワークノードの識別子、それぞれのネットワークノードと関連付けられたセルの識別子、またはそれぞれのネットワークノードと関連付けられたセル部分の識別子、のうちのいずれかであってもよい。さらなる実施形態では、第１および第２のネットワークノードと関連付けられた識別子は、それぞれのネットワークノードと関連付けられたセルの識別子、またはそれぞれのネットワークノードと関連付けられたセル部分の識別子である。
【００７６】
図１６の実施形態を参照して、第１のネットワークノード（ｅＮＢ１）および／または第１のＵＥ（ＵＥ１）は、第１のＵＥ（ＵＥ１）が位置する第１の地理的エリアを識別する情報を取得し（ブロック１６００）、ならびに第２のＵＥ（ＵＥ２）が位置する第２の地理的エリアを識別する情報を取得する（ブロック１６０２）。第１のネットワークノード（ｅＮＢ１）および／または第１のＵＥ（ＵＥ１）は、第１および第２の地理的エリアを識別する情報の比較に基づいて、第１のＵＥ（ＵＥ１）から第２のＵＥ（ＵＥ２）への直接の無線通信の送信構成を適合させる（ブロック１６０４）。
【００７７】
図１７の実施形態を参照して、第１のネットワークノード（ｅＮＢ１）および／または第１のＵＥ（ＵＥ１）は、第１のＵＥ（ＵＥ１）と、第１のネットワークノード（ｅＮＢ１）および／または第２のＵＥ（ＵＥ２）のうちの少なくとも１つとの間の第１の指向性測定を取得し（ブロック１７００）、ならびに第２のＵＥ（ＵＥ２）と、第２のネットワークノード（ｅＮＢ２）および／または第１のＵＥ（ＵＥ１）のうちの少なくとも１つとの間の第２の指向性測定を取得する（ブロック１７０２）。第１のネットワークノード（ｅＮＢ１）および／または第１のＵＥ（ＵＥ１）は、第１および第２の指向性測定の比較に基づいて、第１のＵＥ（ＵＥ１）から第２のＵＥ（ＵＥ２）への直接のワイヤレス通信の送信構成を適合させる（ブロック１７０４）。
【００７８】
図１８の実施形態を参照して、第１のネットワークノード（ｅＮＢ１）および／または第１のＵＥ（ＵＥ１）は、第１のネットワークノード（ｅＮＢ１）に対するセルレンジを取得し（ブロック１８００）、ならびに第２のネットワークノード（ｅＮＢ２）に対するセルレンジを取得する（ブロック１８０２）。第１のネットワークノード（ｅＮＢ１）および／または第１のＵＥ（ＵＥ１）は、第１および第２のネットワークノード（ｅＮＢ１、ｅＮＢ２）のセルレンジに基づいて、第１のＵＥ（ＵＥ１）から第２のＵＥ（ＵＥ２）への直接のワイヤレス通信の送信構成を適合させる（ブロック１８０４）。
【００７９】
ＵＥによる上記開示された実施形態の概要
上記説明された図１９のさらなる実施形態を示す図２０の実施形態を参照して、第１のＵＥ（ＵＥ１）は、メッセージを第１のネットワークノード（ｅＮＢ１）から受信し（ブロック２０００）、メッセージは、第１のＵＥ（ＵＥ１）が第２のＵＥ（ＵＥ２）に送信する送信電力レベルを制御するために、送信構成を使用して第２のＵＥ（ＵＥ２）とのデバイスツーデバイス直接通信を実行するよう第１のＵＥ（ＵＥ１）に指示する情報を包含する。
【００８０】
第１のＵＥ（ＵＥ１）は、タイミングアドバンス値、第１のＵＥ（ＵＥ１）から第１のネットワークノード（ｅＮＢ１）への送信伝搬遅延、第１のネットワークノード（ｅＮＢ１）から第１のＵＥ（ＵＥ１）への送信伝搬時間、ラウンドトリップ送信伝搬遅延、および到達時間測定、のうちの少なくとも１つを取得することによって、第１のタイミング測定を取得してもよい（ブロック１９００）。
【００８１】
図２１の実施形態を参照して、第１のＵＥ（ＵＥ１）は、送信構成に基づいて、第２のＵＥ（ＵＥ２）に送信するときの第１のＵＥ（ＵＥ１）の送信電力レベルを制約する（ブロック２１００）ことによって、送信構成の適合（図１９のブロック１９０４）を実行する。
【００８２】
送信構成は、送信電力レベルに限定されない。いくつかの他の実施形態では、送信構成は代わりに、または追加として、送信するための時間リソースおよび周波数リソースを含んでもよい。図２２の実施形態を参照して、第１のＵＥ（ＵＥ１）は、送信構成に基づいて、第２のＵＥ（ＵＥ２）に送信するときの第１のＵＥ（ＵＥ１）による使用のための時間リソースおよび周波数リソースのうちの１つまたは両方を選択する（ブロック２２００）ことによって、送信構成の適合（図１９のブロック１９０４）を実行する。
【００８３】
図２３の実施形態を参照して、第１のＵＥ（ＵＥ１）は、送信構成に基づいて、第２のＵＥ（ＵＥ２）に送信するための使用のためのアンテナタイプ、第２のＵＥ（ＵＥ２）へのマルチアンテナ送信に対して利用可能なアンテナの中で複数のアンテナ、第２のＵＥ（ＵＥ２）への送信に対するアンテナ放射パターン、および／または第２のＵＥ（ＵＥ２）への送信に対するアンテナ方向を選択する（ブロック２３００）ことによって、送信構成の適合（図１９のブロック１９０４）を実行する。
【００８４】
図２４の実施形態を参照して、第１のＵＥ（ＵＥ１）は、第１のネットワークノード（ｅＮＢ１）から第１のＵＥ（ＵＥ１）に対するタイミングアドバンス値を受信する（ブロック２４００）ことによって、第１のタイミング測定を取得すること（図１９のブロック１９００）を実行する。第１のＵＥ（ＵＥ１）はさらに、デバイスツーデバイスリンクを介して第２のＵＥ（ＵＥ２）から直接、第２のＵＥ（ＵＥ２）に対するタイミングアドバンス値を受信する（ブロック２４０２）ことによって、第２のタイミング測定を取得すること（図１９のブロック１９０２）を実行する。
【００８５】
図２５の実施形態を参照して、第１のＵＥ（ＵＥ１）はさらに、第１のネットワークノード（ｅＮＢ１）と関連付けられた識別子を取得し（ブロック２５００）、および第２のネットワークノード（ｅＮＢ２）と関連付けられた識別子を取得する（ブロック２５０２）。第１および第２のネットワークノード（ｅＮＢ１、ｅＮＢ２）と関連付けられた識別子は、それぞれのネットワークノードの識別子、それぞれのネットワークノードと関連付けられたセルの識別子、またはそれぞれのネットワークノードと関連付けられたセル部分の識別子、のうちのいずれかである。次いで、第１のＵＥ（ＵＥ１）は、第１および第２のネットワークノード（ｅＮＢ１、ｅＮＢ２）と関連付けられた識別子の比較に基づいて、送信構成の適合（図１９のブロック１９０４）を実行する。
【００８６】
図２６の実施形態を参照して、第１のＵＥ（ＵＥ１）はさらに、第２のＵＥ（ＵＥ２）から、第１のＵＥ（ＵＥ１）によって送信された信号を特徴付ける情報を包含するフィードバックメッセージを受信し（ロック２６００）、ならびにフィードバックメッセージに基づいて、第１のＵＥ（ＵＥ１）から第２のＵＥ（ＵＥ２）への直接のワイヤレス通信の送信構成を適合させる（ブロック２６０２）。
【００８７】
図２６の実施形態を参照して、第１のＵＥ（ＵＥ１）は、最後に送信構成が適合されてからの規定された時間間隔の満了、第１のネットワークノード（ｅＮＢ１）から別のネットワークノードへの第１のＵＥ（ＵＥ１）のハンドオーバ、および第１のＵＥ（ＵＥ１）に対する主要なセル変更、のうちの少なくとも１つに応答して、少なくとも送信構成を適合させるステップを繰り返す（ブロック２７００）。
【００８８】
図２６の実施形態を参照して、第１のＵＥ（ＵＥ１）は、１）閾値を超える変更が第１のタイミング測定および第２のタイミング測定のうちの少なくとも１つにおいて発生したこと、ならびに、２）閾値を超える変更が第１のタイミング測定と第２のタイミング測定との間の差において発生したこと、のうちの少なくとも１つに応答して、少なくとも送信構成を適合させるステップを繰り返す（ブロック２８００）。
【００８９】
例示的なユーザ機器
図２９は、ユーザ機器（ＵＥ）、例えば、ＵＥ１、ＵＥ２、ＵＥ３などに対して本明細書で開示される１つまたは複数の実施形態に従って構成されたＵＥデバイス２９００のブロック図である。ＵＥ２９００は、送受信機２９２０、プロセッサ回路２９１０、および機能モジュール２９３２を包含するメモリデバイス２９３０を含む。ＵＥ２９００はさらに、ディスプレイ２９４０、ユーザ入力インタフェース２９５０、およびスピーカ２９６０を含んでもよい。
【００９０】
送受信機２９２０は、本明細書で開示される無線アクセス技術のうちの１つまたは複数を使用してワイヤレスエアインタフェースを通じてネットワークノードと通信するように構成される。プロセッサ回路２９１０は、汎用および／または特殊目的プロセッサ、例えば、マイクロプロセッサおよび／またはデジタル信号プロセッサなどの、１つまたは複数のデータ処理回路を含んでもよい。プロセッサ回路２９２０は、メモリデバイス２９３０の機能モジュール２９３２からのコンピュータプログラム命令を実行して、ＵＥ、例えば、ＵＥ１、ＵＥ２、ＵＥ３などによって実行されるとして本明細書で説明される動作および方法のうちの少なくともいくつかを実行するように構成される。
【００９１】
例示的なネットワークノード
図３０は、無線ネットワークノードまたは他のネットワークノードに対して本明細書で開示される１つまたは複数の実施形態に従って構成されたネットワークノード３０００のブロック図である。ネットワークノード３０００は、送受信機３０２０、ネットワークインタフェース３０４０、プロセッサ回路３０１０、および機能モジュール３０３２を包含するメモリデバイス３０３０を含む。
【００９２】
送受信機３０２０は、本明細書で開示される無線アクセス技術のうちの１つまたは複数を使用してＵＥ２９２０と通信するように構成される。プロセッサ回路３０１０は、配列され、または１つもしくは複数のネットワークにわたって分散されてもよい、汎用および／または特殊目的プロセッサ、例えば、マイクロプロセッサおよび／またはデジタル信号プロセッサなどの、１つまたは複数のデータ処理回路を含んでもよい。プロセッサ回路３０１０は、メモリデバイス３０３０の機能モジュール３０３２からのコンピュータプログラム命令を実行して、ネットワークノードによって実行されるとして本明細書で説明される動作および方法のうちの少なくともいくつかを実行するように構成される。ネットワークインタフェース３０４０は、他のネットワークノードおよび／またはコアネットワークと通信する。
【００９３】
さらなる定義および実施形態
本発明の種々の実施形態の上記説明では、本明細書で使用される専門用語は、特定の実施形態を説明することのみを目的とし、本発明を限定することを意図していないことを理解されたい。別段規定されない限り、本明細書で使用される全ての用語（技術的および科学的用語を含む）は、本発明が属する分野における当業者によって共通に理解されるのと同一の意味を有する。広く使用される辞書で定義されるものなどの用語は、本明細書および関連する分野のコンテキストにおけるそれらの意味と一致した意味を有するとして解釈されるべきであり、理想的または過度に正式な意味において本明細書でそのように明確に定義されるとして解釈されないことがさらに理解される。
【００９４】
ノードが、別のノードに「接続される（ｃｏｎｎｅｃｔｅｄ）」、「結合される（ｃｏｕｐｌｅｄ）」、「応答する（ｒｅｓｐｏｎｓｉｖｅ）」、またはそれらの変形として称されるとき、それは、他のノードに直接接続され、結合され、もしくは応答してもよく、または介在ノードが存在してもよい。一方で、ノードが、別のノードに「直接接続される」、「直接結合される」、「直接応答する」、またはそれらの変形として称されるとき、介在ノードは存在しない。同様の符号は、全体を通じて同様のノードを指す。さらに、本明細書で使用されるような「結合される」、「接続される」、「応答する」、またはそれらの変形は、ワイヤレスで結合され、接続され、または応答することを含んでもよい。本明細書で使用されるように、単数形「ａ」、「ａｎ」および「ｔｈｅ」は、コンテキストが明確に他の場合を示さない限り、複数形をも含むことが意図される。周知の機能または構造は、簡潔および／または明確さのために詳細には説明されなくてもよい。用語「および／または（ａｎｄ／ｏｒ）」は、関連付けられた記載された項目のうちの１つまたは複数の任意かつ全ての組合せを含む。
【００９５】
本明細書で使用されるように、用語「備える（ｃｏｍｐｒｉｓｅ）」、「備える（ｃｏｍｐｒｉｓｉｎｇ）」、「備える（ｃｏｍｐｒｉｓｅｓ）」、「含む（ｉｎｃｌｕｄｅ）」、「含む（ｉｎｃｌｕｄｉｎｇ）」、「含む（ｉｎｃｌｕｄｅｓ）」、「有する（ｈａｖｅ）」、「有する（ｈａｓ）」、「有する（ｈａｖｉｎｇ）」、またはそれらの変形は、オープンエンドであり、ならびに１つまたは複数の述べられた特徴、整数、ノード、ステップ、コンポーネントまたは機能を含むが、１つまたは複数の他の特徴、整数、ノード、ステップ、コンポーネント、機能またはそれらのグループの存在または追加を排除しない。さらに、本明細書で使用されるように、ラテン語のフレーズ「ｅｘｅｍｐｌｉ  ｇｒａｔｉａ」から派生する共通略語「例えば（ｅ．ｇ．）」が、一般例または先に言及された項目の例を導入または指定するために使用されてもよく、およびそのような項目の限定であることが意図されない。ラテン語のフレーズ「ｉｄ  ｅｓｔ」から派生する共通略語「すなわち（ｉ．ｅ．）」は、より一般的な記載から特定の項目を指定するために使用されてもよい。
【００９６】
例示的な実施形態は、コンピュータ実装方法、装置（システムおよび／もしくはデバイス）ならびに／またはコンピュータプログラム製品を示すブロック図および／またはフローチャート図を参照して本明細書で説明される。ブロック図のブロックおよび／またはフローチャート図の例示、ならびにブロック図におけるブロックおよび／またはフローチャート図の例示の組合せは、１つまたは複数のコンピュータ回路によって実行されるコンピュータプログラム命令によって実装されてもよいことが理解される。これらのコンピュータプログラム命令は、マシンを作成するために汎用コンピュータ回路、特殊目的コンピュータ回路、および／または他のプログラム可能データ処理回路のプロセッサ回路に提供されてもよく、それによって、コンピュータのプロセッサおよび／または他のプログラム可能データ処理装置を介して、トランジスタ、メモリ位置に記憶された値、およびそのような回路内の他のハードウェアコンポーネントを実行し、変換し、および制御する命令は、ブロック図および／またはフローチャートブロックで指定された機能／作動を実装し、それによって、ブロック図および／またはフローチャートブロックで指定された機能／作動を実装するための手段（機能性）および／または構造を作成する。
【００９７】
それらのコンピュータプログラム命令はまた、特定の方式で機能するようコンピュータまたは他のプログラム可能データ処理装置に命令することができる有形コンピュータ可読媒体に記憶されてもよく、それによって、コンピュータ可読媒体に記憶された命令は、ブロック図および／またはフローチャートブロックで指定された機能／作動を実装する命令を含む製品を作成する。
【００９８】
有形、非一時的コンピュータ可読媒体は、電子、磁気、光学、電磁気、または半導体データ記憶システム、装置、またはデバイスを含んでもよい。コンピュータ可読媒体のより具体的な例は、ポータブルコンピュータディスケット、ランダムアクセスメモリ（ＲＡＭ）回路、読出し専用メモリ（ＲＯＭ）回路、消去可能なプログラム可能読出し専用メモリ（ＥＰＲＯＭまたフラッシュメモリ）回路、ポータブルコンパクトディスク読出し専用メモリ（ＣＤ−ＲＯＭ）、およびポータブルデジタルビデオディスク読出し専用メモリ（ＤＶＤ／Ｂｌｕ−ｒａｙ）を含む。
【００９９】
コンピュータプログラム命令はまた、コンピュータおよび／または他のプログラム可能データ処理装置上にロードされて、一連の動作ステップをコンピュータおよび他のプログラム可能装置上で実行されるようにしてコンピュータ実行処理を作成させてもよく、それによって、コンピュータまたは他のプログラム可能装置上で実行する命令は、ブロック図および／またはフローチャートブロックで指定された機能／作動を実装するためのステップを提供する。したがって、本発明の実施形態は、ハードウェア、および／または、「回路」、「モジュール」またはそれらの変形と総称されてもよい、デジタル信号プロセッサなどのプロセッサ上で稼動するソフトウェア（ファームウェア、レジデントソフトウェア、マイクロコードなどを含む）で具体化されてもよい。
【０１００】
いくつかの代替的実装形態では、ブロックで言及される機能／作動は、フローチャートに記載される順序を外れて発生してもよいことにも留意されたい。例えば、連続して示される２つのブロックは実際に、実質的に同時に実行されてもよく、ブロックは時に、含まれる機能／作動に応じて逆の順序で実行されてもよい。さらに、フローチャートおよび／もしくはブロック図の所与のブロックの機能性は、複数のブロックに分離されてもよく、ならびに／またはフローチャートおよび／もしくはブロック図の２つ以上のブロックの機能性は、少なくとも部分的に統合されてもよい。最後に、他のブロックが、示されるブロックの間に追加／挿入されてもよい。さらに、図のいくつかが通信の主要な方向を示すために通信パス上に矢印を含むが、記述された矢印とは反対の方向で通信が発生してもよいことを理解されたい。
【０１０１】
上記説明および図面と共に、多くの異なる実施形態が本明細書で開示されてきた。それらの実施形態の組合せおよび副組合せを全て逐語的に説明および示すことは、過度に反復的かつ混乱させることが理解されよう。したがって、図面を含む本明細書は、実施形態、ならびにそれらを作り、および使用する方式およびプロセスの種々の例示的な組合せおよび副組合せの完全な記述された説明を構成するとして解釈され、かつ任意のそのような組合せまたは副組合せに対する特許請求の範囲をサポートするものである。
【０１０２】
本発明の原理から実質的に逸脱することなく、多くの変形および修正が実施形態になされてもよい。全てのそのような変形および修正は、本発明の範囲内で本明細書に含まれることが意図される。
【図１】
0006313477.tif 000002
【図２】
0006313477.tif 000003
【図３】
0006313477.tif 000004
【図４】
0006313477.tif 000005
【図５】
0006313477.tif 000006
【図６】
0006313477.tif 000007
【図７】
0006313477.tif 000008
【図８】
0006313477.tif 000009
【図９】
0006313477.tif 000010
【図１０】
0006313477.tif 000011
【図１１】
0006313477.tif 000012
【図１２】
0006313477.tif 000013
【図１３】
0006313477.tif 000014
【図１４】
0006313477.tif 000015
【図１５】
0006313477.tif 000016
【図１６】
0006313477.tif 000017
【図１７】
0006313477.tif 000018
【図１８】
0006313477.tif 000019
【図１９】
0006313477.tif 000020
【図２０】
0006313477.tif 000021
【図２１】
0006313477.tif 000022
【図２２】
0006313477.tif 000023
【図２３】
0006313477.tif 000024
【図２４】
0006313477.tif 000025
【図２５】
0006313477.tif 000026
【図２６】
0006313477.tif 000027
【図２７】
0006313477.tif 000028
【図２８】
0006313477.tif 000029
【図２９】
0006313477.tif 000030
【図３０】
0006313477.tif 000031